(57)【要約】【課題】充電を確実に行うことができ、小型化又は軽量化が容易で持ち運びに適した可搬型蓄電装置、及び、この可搬型蓄電装置への蓄電を行う蓄電システムを提供する。【解決手段】可搬型蓄電装置２０に防水コネクタ部２１及び防水コンセント部２５を設ける。車輌１のコネクタ部１４に防水コネクタ部２１を介して可搬型蓄電装置２０を接続した場合、発電部１１が発電した電力を可搬型蓄電装置２０の蓄電部２３へ供給して蓄電を行う。また蓄電部２３に蓄積した電力を、防水コンセント部２５に接続された電気機器へ供給する。車輌１の給電制御部１２は、発電部１１が発電した電力をまず可搬型蓄電装置２０へ供給し、可搬型蓄電装置２０の蓄電量が所定量を超えた後に車載蓄電部１３へ電力供給を行う。【選択図】図１
2012080637.tif 000002
【特許請求の範囲】
【請求項１】
車輌側に設けられた接続部に電気的に接続される車側接続部と、
前記車側接続部を介して車輌側から供給される電力を蓄積する蓄電部と、
外部の機器に設けられた接続部が接続される機器側接続部と
を備え、
前記蓄電部に蓄積した電力を前記機器側接続部に接続された外部の機器へ供給するようにしてあること
を特徴とする可搬型蓄電装置。
【請求項２】
前記蓄電部に蓄積された電力を直流から交流に変換して前記機器側接続部へ与える変換部を更に備えること
を特徴とする請求項１に記載の可搬型蓄電装置。
【請求項３】
前記車側接続部及び前記機器側接続部は、装置内への浸水を防止する防水構造をなしていること
を特徴とする請求項１又は請求項２に記載の可搬型蓄電装置。
【請求項４】
請求項１乃至請求項３のいずれか１つに記載の可搬型蓄電装置と、
車輌に搭載された発電部と、
前記車輌に搭載された車載蓄電部と、
前記車輌に設けられ、前記可搬型蓄電装置の車側接続部が接続される接続部と、
前記接続部に接続された前記可搬型蓄電装置の蓄電量を検出する検出手段と、
前記車載蓄電部又は前記接続部に接続された前記可搬型蓄電装置へ、前記発電部が発電した電力を供給する制御を行う供給制御手段と
を備え、
該供給制御手段は、
前記接続部に前記可搬型蓄電装置が接続されていない場合、前記発電部が発電した電力を前記車載蓄積部へ供給し、
前記接続部に前記可搬型蓄電装置が接続されている場合、前記発電部が発電した電力を前記可搬型蓄電装置へ供給し、前記可搬型蓄電装置の蓄電量が所定量を超えた後、前記発電部が発電した電力を前記車載蓄積部へ供給するようにしてあること
を特徴とする蓄電システム。
【請求項５】
前記車載蓄電部の蓄電量を検出する検出手段と、
前記車輌に搭載された一又は複数の他の車載機器へ、前記車載蓄電部又は前記接続部に接続された前記可搬型蓄電装置に蓄積された電力を供給する制御を行う供給制御手段と
を備え、
該供給制御手段は、
前記接続部に前記可搬型蓄電装置が接続されていない場合、前記車載蓄電部に蓄積された電力を前記車載機器へ供給し、
前記接続部に前記可搬型蓄電装置が接続されている場合、前記車載蓄電部に蓄積された電力を前記車載機器へ供給し、前記車載蓄電部の蓄電量が所定量より少なくなった後、前記可搬型蓄電装置に蓄積された電力を前記車載機器へ供給するようにしてあること
を特徴とする請求項４に記載の蓄電システム。
【発明の詳細な説明】
【技術分野】
【０００１】
本発明は、接続された電気機器に蓄電した電力を供給し、この電気機器を屋外などで利用することを可能とする可搬型蓄電装置、及びこの可搬型蓄電装置を車輌に接続して充電する蓄電システムに関する。
【背景技術】
【０００２】
キャンプなど屋外での活動を行う際に、照明機器又はオーディオ装置等の電気機器を使用したい場合がある。このような場合、例えばユーザは車輌のバッテリに蓄積された電力を利用して電気機器を使用することができる。また例えば、特許文献１に記載の発明のように、太陽光発電などで発電を行って電気機器を使用することができる。
【０００３】
特許文献１においては、太陽電池パネルと、太陽電池パネルの直流電力を貯蔵するバッテリと、バッテリの出力を交流電力に変換するインバータと、太陽電池パネルの周囲に設けたフレームとを備え、フレーム及び太陽電池パネルの反入射面側はバッテリ及びインバータを収容する収容空間を形成すると共に、フレームの隅部には移動支援用の車輪を設けた構成の電源装置が提案されている。この電源装置は、電気機器のプラグを接続するコンセントを備えており、バッテリに蓄積した電力をコンセントに接続された電気機器に供給することができる。またフレームに車輪を設けたことにより、電源装置の移動を容易に行うことができる。
【先行技術文献】
【特許文献】
【０００４】
【特許文献１】特開２００２−３０５３１７号公報
【発明の概要】
【発明が解決しようとする課題】
【０００５】
しかし、車輌に搭載されたバッテリにて電気機器を使用する場合、車室内に設けられたコンセントと電気機器とを電源コードで接続する必要があるため、電気機器の使用は車輌から一定の距離内に制限される。車輌を駐車可能な場所は限られていることから、電気機器を使用することができる場所が制限されるという問題がある。
【０００６】
また特許文献１に記載の発明は、太陽電池パネルによってバッテリを充電する構成であるため、悪天候時などに電気機器の使用が制限される虞がある。また、太陽電池パネルを搭載しているため装置は大型で重いものとなり、より多くの電力を蓄積するためには、より多くの太陽電池パネルを搭載する必要があるため、装置のサイズ及び重量が更に増大する。よって特許文献１の電源装置は、可搬型のものとして利用するには限界がある。
【０００７】
本発明は、斯かる事情に鑑みてなされたものであって、その目的とするところは、充電を確実に行うことができ、小型化又は軽量化が容易で持ち運びに適した可搬型蓄電装置、及び、この可搬型蓄電装置への蓄電（充電）を行う蓄電システムを提供することにある。
【課題を解決するための手段】
【０００８】
本発明に係る可搬型蓄電装置は、車輌側に設けられた接続部に電気的に接続される車側接続部と、前記車側接続部を介して車輌側から供給される電力を蓄積する蓄電部と、外部の機器に設けられた接続部が接続される機器側接続部とを備え、前記蓄電部に蓄積した電力を前記機器側接続部に接続された外部の機器へ供給するようにしてあることを特徴とする。
【０００９】
また、本発明に係る可搬型蓄電装置は、前記蓄電部に蓄積された電力を直流から交流に変換して前記機器側接続部へ与える変換部を更に備えることを特徴とする。
【００１０】
また、本発明に係る可搬型蓄電装置は、前記車側接続部及び前記機器側接続部が、装置内への浸水を防止する防水構造をなしていることを特徴とする。
【００１１】
また、本発明に係る蓄電システムは、上述のいずれか１つに記載の可搬型蓄電装置と、車輌に搭載された発電部と、前記車輌に搭載された車載蓄電部と、前記車輌に設けられ、前記可搬型蓄電装置の車側接続部が接続される接続部と、前記接続部に接続された前記可搬型蓄電装置の蓄電量を検出する検出手段と、前記車載蓄電部又は前記接続部に接続された前記可搬型蓄電装置へ、前記発電部が発電した電力を供給する制御を行う供給制御手段とを備え、該供給制御手段は、前記接続部に前記可搬型蓄電装置が接続されていない場合、前記発電部が発電した電力を前記車載蓄積部へ供給し、前記接続部に前記可搬型蓄電装置が接続されている場合、前記発電部が発電した電力を前記可搬型蓄電装置へ供給し、前記可搬型蓄電装置の蓄電量が所定量を超えた後、前記発電部が発電した電力を前記車載蓄積部へ供給するようにしてあることを特徴とする。
【００１２】
また、本発明に係る蓄電システムは、前記車載蓄電部の蓄電量を検出する検出手段と、前記車輌に搭載された一又は複数の他の車載機器へ、前記車載蓄電部又は前記接続部に接続された前記可搬型蓄電装置に蓄積された電力を供給する制御を行う供給制御手段とを備え、該供給制御手段は、前記接続部に前記可搬型蓄電装置が接続されていない場合、前記車載蓄電部に蓄積された電力を前記車載機器へ供給し、前記接続部に前記可搬型蓄電装置が接続されている場合、前記車載蓄電部に蓄積された電力を前記車載機器へ供給し、前記車載蓄電部の蓄電量が所定量より少なくなった後、前記可搬型蓄電装置に蓄積された電力を前記車載機器へ供給するようにしてあることを特徴とする。
【００１３】
本発明においては、外部機器を接続するための機器側接続部（コンセント部）と、電力を蓄積する蓄電部とを備える可搬型蓄電装置に、車輌に設けられた接続部に電気的に接続される車側接続部（コネクタ部）を設ける。可搬型蓄電装置のコネクタ部を車輌の接続部に接続することによって、車輌の発電部又は蓄電部等からの電力がコネクタ部を介して可搬型蓄電装置へ供給され、可搬型蓄電装置の蓄電部に電力が蓄積される。外部機器を使用する場合には、可搬型蓄電装置のコンセント部に外部機器の接続部（プラグ部）を接続することによって、蓄電部に蓄積された電力が外部機器へ供給される。
可搬型蓄電装置には、太陽電池パネルなどの発電のための部品を搭載する必要がなく、バッテリなどの蓄電部以外にはコンセント及びコネクタ等の小型の部品を備えればよく、小型化及び軽量化が容易である。また可搬型蓄電装置を車輌に接続することで充電を行うことができるため、ユーザは容易且つ確実に可搬型蓄電装置の充電を行うことができる。
【００１４】
車輌から供給される電力は例えば１２Ｖなどの直流であり、バッテリなどの蓄電部から取り出すことができる電力もまた直流である。これに対して、一般的な電気機器は交流の商用電源からの電力供給により動作する場合が多い。
そこで本発明においては、蓄電部に蓄積された電力を直流から交流に変換してコンセント部へ与える変換部を可搬型蓄電装置に備える。これにより、可搬型蓄電装置のコンセント部に接続された外部機器には交流の電力を供給することができるため、交流の電力で動作する電気機器を屋外などで使用することができる。
【００１５】
また、本発明においては、可搬型蓄電装置のコネクタ部及びコンセント部を防水構造とする。可搬型蓄電装置は、例えばキャンプなどの際に屋外で用いられる可能性があり、雨天などで雨水が装置内へ浸入すると故障の虞がある。特にコネクタ部及びコンセント部は、筐体の内外を連通させる隙間などが生じ易い箇所であるため、これらを防水構造とすることによって雨水などの筐体内への侵入を防止し、可搬型蓄電装置の故障を防止することができる。
【００１６】
また、本発明においては、車輌には発電部及び車載蓄電部と、可搬型蓄電装置を接続するための接続部（コネクタ部）とを設ける。車輌の発電部は、エンジンの運動エネルギーを電力に変換するオルタネータ又は太陽光発電のパネル等で実現できる。オルタネータは従来から車輌に搭載されているものである。太陽光発電パネルは、可搬型蓄電装置に設ける場合と比較して、車輌には大型のものを設けることができるため、十分な電力を発電することができる。車載蓄電部は、従来の車輌に搭載されたいわゆるバッテリであってよく、電気自動車又はハイブリッド自動車の場合には走行用のバッテリであってもよい。可搬型蓄電装置を接続するためのコネクタ部は、例えば車輌の車室内又はトランク内等に設けることができる。
また車輌には、接続された可搬型蓄電装置の蓄電量を検出する手段を設け、検出結果に応じて発電部から車載蓄電部又は可搬型蓄電装置への電力供給の制御を行う。可搬型蓄電装置が接続されていない場合、発電部が発電した電力は車載蓄電部へ供給する。可搬型蓄電装置が接続されている場合、発電部が発電した電力はまず可搬型蓄電装置へ供給され、可搬型蓄電装置の蓄電量が所定量を超えた（例えば満充電状態に至った）後に、車載蓄電部への電力供給を行う。
これにより、車輌の走行中などに可搬型蓄電装置の充電が優先的に行われるため、可搬型蓄電装置を確実に充電することができる。
【００１７】
また、車載蓄電部に充電された電力は、発電部が発電を停止した場合又は発電量が少ない場合等に、車輌に搭載されたオーディオ装置又はカーナビゲーション装置等の他の車載機器の動作のために用いられる。そこで本発明においては、車輌には車載蓄電部の蓄電量を検出する手段を設け、検出結果に応じて車載蓄電部又は可搬型蓄電装置から車載機器への電力供給の制御を行う。可搬型蓄電装置が接続されていない場合、車載蓄電部に蓄積された電力を車載機器へ供給する。可搬型蓄電装置が接続されている場合、まず車載蓄電部に蓄積された電力を車載機器へ供給し、車載蓄電部の蓄電量が所定量より少なくなった後に、可搬型蓄電装置に蓄積された電力を車載機器へ供給する。
これにより、車載部に蓄積された電力が優先的に車載機器によって消費されるため、可搬型蓄電装置の蓄電量が低下することを防止できる。また車載蓄電部の蓄電量が、例えば車輌のエンジン始動に必要な蓄電量を下回る前に、車載機器への電力供給元を切り替えることができ、車載蓄電部に十分な電力が蓄積されていない場合であっても車載機器を利用することができる。
【発明の効果】
【００１８】
本発明による場合は、外部機器を接続するためのコンセント部及び車輌のコネクタ部に接続するためのコネクタ部を可搬型蓄電装置に設け、車輌から供給される電力を蓄電し、蓄電した電力をコンセント部に接続された外部機器へ供給する構成とすることにより、小型化及び軽量化が可能であり、充電を容易且つ確実に行うことができる可搬型蓄電装置を実現できる。
【００１９】
また、可搬型蓄電装置が車輌に接続されている場合、車輌の発電部が発電した電力を優先的に可搬型蓄電装置へ供給して充電を行い、可搬型蓄電装置の蓄電量が所定量を超えた後に車載蓄電部の充電を行う構成とすることにより、可搬型蓄電装置の充電を確実に行うことができる。
【図面の簡単な説明】
【００２０】
【図１】本発明に係る蓄電システムの構成を示すブロック図である。
【図２】本発明に係る蓄電システムの構成を示すブロック図である。
【図３】給電制御部が行う給電制御処理の手順を示すフローチャートである。
【図４】給電制御部が行う給電制御処理の手順を示すフローチャートである。
【発明を実施するための形態】
【００２１】
以下、本発明をその実施の形態を示す図面に基づき具体的に説明する。図１及び図２は、本発明に係る蓄電システムの構成を示すブロック図であり、可搬型蓄電装置を車輌に接続して充電している状態を図１に示し、可搬型蓄電装置に外部機器を接続して使用している状態を図２に示す。図において一点鎖線で示す１は車輌であり、車輌１には発電部１１、給電制御部１２、車載蓄電部１３及びコネクタ部１４等と、複数の車載機器１７とを搭載している。また車載蓄電部１３及びコネクタ部１４には、蓄電量検出部１３ａ及び１４ａがそれぞれ設けられている。なお、図１及び図２において、各部を結ぶ実線は電力供給経路を示し、破線の矢印は信号の伝達経路を示している。
【００２２】
車輌１に搭載された発電部１１は、オルタネータ又は太陽光発電パネル等で構成される。例えば、従来のガソリンなどの燃料を動力源とするエンジンを搭載した車輌では、エンジンの回転エネルギーを電力に変換するオルタネータが搭載されており、オルタネータが発電した電力をバッテリに蓄積しているため、発電部１１としてオルタネータを用いることができる。また例えば、太陽光発電パネルが発電した電力で走行するいわゆるソーラーカーのみでなく、車載機器などの動力源として補助的に太陽光発電パネルを車輌に搭載することができ、このような太陽光発電パネルを搭載した車輌では、発電部１１として太陽光発電パネルを用いることができる。また例えば、電気自動車又はハイブリッド自動車のようにブレーキの回生エネルギーを電力に変換するシステムを搭載した車輌では、このシステムを発電部１１として用いてもよい。また例えば、車輌の走行に伴う振動エネルギーを電力に変換する発電装置を車輌に搭載し、この発電装置を発電部１１として用いてもよい。発電部１１は、上述の２つ以上を組み合わせた構成であってよい。発電部１１が発電した電力は、給電制御部１２へ与えられる。
【００２３】
給電制御部１２は、発電部１１が発電した電力を車載機器１７へ供給してこれらを動作させると共に、余剰の電力を車載蓄電部１３又はコネクタ部１４に接続された可搬型蓄電装置２０のいずれかへ供給して充電する処理を行う。また給電制御部１２は、発電部１１が発電を行っていない場合（車載機器１７の消費電力量に対して発電部１１の発電量が少ない場合を含む）、車載蓄電部１３又はコネクタ部１４に接続された可搬型蓄電装置２０に蓄積された電力を車載機器１７へ供給する処理を行う。これらの処理の詳細については、後述する。給電制御部１２は、例えば車輌１に搭載されたＥＣＵ（Electronic Control Unit）などである。
【００２４】
車載蓄電部１３は、給電制御部１２から与えられた電力を蓄積すると共に、給電制御部１２を介して蓄積した電力を車載機器１７へ与える。車載蓄電部１３は、例えば従来の車輌に搭載された鉛蓄電池（いわゆるバッテリ）で構成することができ、また例えば電気自動車などに搭載されたリチウムイオン電池などで構成することもできる。
【００２５】
また蓄電量検出部１３ａは、車載蓄電部１３の近傍に配設されており、車載蓄電部１３に蓄積された電力量（蓄電量）を検出して給電制御部１２へ通知する。蓄電量検出部１３ａは、車載蓄電部１３の端子電圧などに基づいて蓄電量を検出してもよく、車載蓄電部１３の入出力電流量の積分値などから蓄電量を検出してもよく、その他の方法で蓄電量を検出してもよい。
【００２６】
コネクタ部１４は、例えば車輌１の車室内又はトランク内などに設けられ、可搬型蓄電装置２０に設けられた防水コネクタ部２１を直接的に又はケーブルなどを介して間接的に接続することができる。コネクタ部１４に可搬型蓄電装置２０の防水コネクタ部２１が接続されることによって、給電制御部１２と可搬型蓄電装置２０との間に電力供給経路が設けられる。また蓄電量検出部１４ａは、車輌蓄電部１３に対して設けられた蓄電量検出部１３ａと同様の構成であり、コネクタ部１４の近傍に配設され、コネクタ部１４に接続された可搬型蓄電装置２０の蓄電量を検出して給電制御部１２へ通知する。
【００２７】
車輌１に搭載された複数の車載機器１７は、例えばオーディオ装置又はカーナビゲーション装置等の種々の電気機器である。車載機器１７は、給電制御部１２から与えられる電力によって動作する。
【００２８】
可搬型蓄電装置２０は、防水コネクタ部２１、調整部２２、蓄電部２３、変換部２４及び防水コンセント部２５等を備えており、これら各部を１つの筐体内に収容して、ユーザが持ち運び可能となるように構成したものである。図１に示すように、可搬型蓄電装置２０は、車輌１に設けられたコネクタ部１４に防水コネクタ部２１を接続して充電を行うことができる。また図２に示すように、防水コンセント部２５に電気機器３０を接続して電力供給を行うことができる。
【００２９】
防水コネクタ部２１は、可搬型蓄電装置２０の筐体外にその一部分が露出するように設けられており、車輌１に設けられたコネクタ部１４（又はコネクタ部１４に接続されたケーブルなど）に嵌合などの方法で接続される。これにより可搬型蓄電装置２０が車輌１の給電制御部１２と電気的に接続され、給電制御部１２からの供給電力はコネクタ部１４及び防水コネクタ部２１を介して調整部２２へ与えられる。また防水コネクタ部２１は、筐体外に露出した部分から筐体内へ雨水などの侵入を防ぐ防水構造をなしている。例えば防水コネクタ部２１には筐体内外を貫通して金属製の端子などが設けられるが、金属製端子が筐体を貫通する箇所にて生じる金属端子と筐体との隙間が、ゴムなどのシーリング部材で閉塞することで防水性を高めることができる。
【００３０】
調整部２２は、防水コネクタ部２１を介して給電制御部１２から供給された電力の電圧値又は電流値を、蓄電部２３に適した電圧値又は電流値に調整し、調整後の電力を蓄電部２３へ与える。ただし、給電制御部１２から供給される電力を電圧値又は電流値の調整なしに直接的に蓄電部２３へ与える構成としてもよく、この場合には可搬型蓄電装置２０は調整部２２を備えない構成であってよい。また調整部２２は、蓄電部２３に蓄積された電力の電圧値又は電流値を調整して防水コネクタ部２１へ与えることもでき、これにより可搬型蓄電装置２０は、蓄電部２３に蓄積した電力を車輌１へ供給することができる。
【００３１】
蓄電部２３は、車載蓄電部１３と同様に、鉛蓄電池又はリチウムイオン電池等で構成することができる（その他の蓄電池であってよい）。可搬型蓄電装置２０が車輌１のコネクタ部１４に接続された場合、蓄電部２３は、給電制御部１２から与えられて調整部２２にて電圧値又は電流値の調整が施された電力を蓄積する。また蓄電部２３は、蓄積した電力を変換部２４へ与える。
【００３２】
変換部２４は、蓄電部２３から与えられる直流の電力を交流の電力に変換して出力するものであり、いわゆるインバータ回路などで構成される。変換部２４は、与えられた直流電力を、予め定められた振幅及び周波数等の交流電力に変換し、防水コンセント部２５へ出力する。
【００３３】
防水コンセント部２５は、電気機器３０の電源コードの先端に設けられたプラグ部３１が接続されるものであり、プラグ部３１の金属端子が挿入される複数の穴が可搬型蓄電装置２０の筐体外に露出するように設けられる。防水コンセント部２５にプラグ部３１が接続された場合、可搬型蓄電装置２０と電気機器３０とが電気的に接続され、変換部２４が出力する交流電力は防水コンセント部２５及びプラグ部３１等を介して電気機器３０へ与えられ、これにより電気機器３０が動作する。また防水コンセント部２５は、防水コネクタ部２１と同様に、筐体外に露出した部分から筐体内へ雨水などの侵入を防ぐ防水構造をなしている。
【００３４】
このように、可搬型蓄電装置２０は、車輌１に設けられたコネクタ部１４に接続可能な防水コネクタ部２１と、外部の電気機器３０のプラグ部３１を接続可能な防水コンセント部２５とを備えている。防水コネクタ部２１が車輌１のコネクタ部１４に接続された場合、可搬型蓄電装置２０は、車輌１から供給される電力を蓄電部２３に蓄積する。また防水コンセント部２５に外部機器のプラグ部３１が接続された場合、可搬型蓄電装置２０は、蓄電部２３に蓄積した電力を電気機器３０へ供給する。
【００３５】
また車輌１の給電制御部１２は、コネクタ部１４に可搬型蓄電装置２０が接続されているか否かに応じて、電力の供給先及び供給元を切り替える処理を行っている。以下においては、給電制御部１２による給電制御処理を、フローチャートを用いて説明する。
【００３６】
図３は、給電制御部１２が行う給電制御処理の手順を示すフローチャートであり、発電部１１が動作して十分な電力を発電している場合の処理手順を示してある。なお発電部１１が十分な電力を発電している場合、給電制御部１２は発電部１１からの電力を車載機器１７へ供給するが、この処理については図３にて図示を省略してある。
【００３７】
発電部１１が発電を行っている場合、まず給電制御部１２は、可搬型蓄電装置２０がコネクタ部１４に接続された状態であるか否かを判定する（ステップＳ１）。可搬型蓄電装置２０が接続されていない場合（Ｓ１：ＮＯ）、給電制御部１２は、発電部１１からの電力を車載蓄電部１３へ供給し（ステップＳ５）、処理を終了する。
【００３８】
可搬型蓄電装置が接続されている場合（Ｓ１：ＹＥＳ）、給電制御部１２は、蓄電量検出部１４ａにてコネクタ部１４に接続された可搬型蓄電装置２０の蓄電量を検出し（ステップＳ２）、検出した蓄電量が所定量を超えるか否かを判定する（ステップＳ３）。なお、ステップＳ３の所定量は予め設定された値であり、可搬型蓄電装置２０の蓄電部２３が満充電状態（又は満充電状態に近い状態）に達したか否かを判定し得る値を予め算出して設定しておくことができる。
【００３９】
可搬型蓄電装置２０の蓄電量が所定量を超えない場合（Ｓ３：ＮＯ）、給電制御部１２は、発電部１１からの電力をコネクタ部１４へ与えることによって、コネクタ部１４に接続された可搬型蓄電装置２０へ電力供給を行い（ステップＳ４）、処理を終了する。また可搬型蓄電装置２０の蓄電量が所定量を超えた場合（Ｓ３：ＹＥＳ）、給電制御部１２は、発電部１１からの電力を車載蓄電部１３へ供給し（ステップＳ５）、処理を終了する。
【００４０】
なお、給電制御部１２は、図３に示したフローチャートの処理を繰り返し行っている。よって給電制御部１２は、可搬型蓄電装置２０が接続されていない状態では車載蓄電部１３への電力供給を行い、可搬型蓄電装置２０が接続された場合には、可搬型蓄電装置２０の蓄電量が所定量を超えるまでの間、可搬型蓄電装置２０への電力供給を優先的に行い、可搬型蓄電装置２０の蓄電量が所定量を超えた後で車載蓄電部１３への電力供給を再開する。
【００４１】
図４は、給電制御部１２が行う給電制御処理の手順を示すフローチャートであり、発電部１１が発電を行っていない場合（車載機器１７の消費電力量に対して発電部１１の発電量が少ない場合を含む）の処理手順を示してある。発電部１１が発電を行っていない場合、まず給電制御部１２は、可搬型蓄電装置２０がコネクタ部１４に接続された状態であるか否かを判定する（ステップＳ２１）。可搬型蓄電装置２０が接続されていない場合（Ｓ２１：ＮＯ）、給電制御部１２は、車載蓄電部１３に蓄積された電力を車載機器１７へ供給し（ステップＳ２５）、処理を終了する。
【００４２】
可搬型蓄電装置２０が接続されている場合（Ｓ２１：ＹＥＳ）、給電制御部１２は、蓄電量検出部１３ａにて車載蓄電部１３の蓄電量を検出し（ステップＳ２２）、検出した蓄電量が所定量より少ないか否かを判定する（ステップＳ２３）。なお、ステップＳ２３の所定量は予め設定された値（ステップＳ３の所定量とは異なる値）であり、車載蓄電部１３に残された電力量（残容量）が車輌１のエンジン始動に必要な電力量を下回ることを防止し得る値などを予め設定しておくことができる。
【００４３】
車載蓄電部１３の蓄電量が所定量より少ない場合（Ｓ２３：ＹＥＳ）、給電制御部１２は、コネクタ部１４に接続された可搬型蓄電装置２０に蓄積された電力を車載機器１７へ供給し（ステップＳ２４）、処理を終了する。また車載蓄電部１３の蓄電量が所定量以上の場合（Ｓ２３：ＮＯ）、給電制御部１２は、車載蓄電部１３に蓄積された電力を車載機器１７へ供給し（ステップＳ２５）、処理を終了する。
【００４４】
なお、給電制御部１２は、図４に示したフローチャートの処理を繰り返し行っている。よって給電制御部１２は、可搬型蓄電装置２０がコネクタ部１４に接続されている状態であっても、車載蓄電部１３の蓄電量が所定量以上であれば、車載蓄電部１３に蓄積された電力を車載機器１７へ供給し、車載蓄電部１３の蓄電量が所定量より少なくなった後で、可搬型蓄電装置２０に蓄積された電力を車載機器１７へ供給する。
【００４５】
以上の構成の蓄電システムにおいては、可搬型蓄電装置２０の筐体に防水コネクタ部２１及び防水コンセント部２５を設け、車輌１に設けられたコネクタ部１４に防水コネクタ部２１を介して可搬型蓄電装置２０を接続した場合に、発電部１１が発電した電力を可搬型蓄電装置２０の蓄電部２３へ供給して蓄電し、蓄電部２３に蓄積した電力を防水コンセント部２５に接続された電気機器３０へ供給する構成とすることにより、太陽電池パネルなどの発電のための部品を搭載する必要がないため、可搬型蓄電装置２０の小型化及び軽量化が容易である。また可搬型蓄電装置２０を車輌１のコネクタ部１４に接続することで充電を行うことができるため、ユーザは容易且つ確実に可搬型蓄電装置２０の充電を行うことができる。
【００４６】
また、蓄電部２３に蓄積された電力を直流から交流に変換して防水コンセント部２５へ与える変換部２４を可搬型蓄電装置２０に備えることにより、一般的な商用交流電源にて動作する電気機器３０を、可搬型蓄電装置２０を利用して屋外などで使用することが可能となる。また、防水構造をなす防水コネクタ部２１及び防水コンセント部２５を備えることによって、可搬型蓄電装置２０の筐体内に雨水などが侵入することを防止でき、可搬型蓄電装置２０の故障を防止できる。
【００４７】
また、車輌１の給電制御部１２は、可搬型蓄電装置２０が接続されていない場合には発電部１１が発電した電力を車載蓄電部１３へ供給し、可搬型蓄電装置２０が接続されている場合には、発電部１１が発電した電力をまず可搬型蓄電装置２０へ供給し、可搬型蓄電装置２０の蓄電量が所定量を超えた後に車載蓄電部１３へ電力供給を行う構成とすることにより、可搬型蓄電装置２０を確実に充電することができる。
【００４８】
また、車輌１の給電制御部１２は、発電部１１が発電を停止した際などに、可搬型蓄電装置２０が接続されている場合であっても、まず車載蓄電部１３に蓄積された電力を車載機器１７へ供給し、車載蓄電部１３の蓄電量が所定量より少なくなった後に、可搬型蓄電装置２０に蓄積された電力を車載機器１７へ供給する構成とすることにより、車載蓄電部１３に十分な電力が蓄積されていない場合であっても車載機器１７を使用することができる。
【００４９】
なお、本実施の形態においては、可搬型蓄電装置２０が１つの防水コンセント部２５を備える構成としたが、これに限るものではなく、可搬型蓄電装置２０が複数の防水コンセント部２５を備える構成としてもよい。また、給電制御部１２は発電部１１が発電した電力を可搬型蓄電装置２０へ供給する構成としたが、これに限るものではなく、車載蓄電部１３に十分な電力が蓄積されている場合には、車載蓄電部１３に蓄積された電力を可搬型蓄電装置２０へ供給して充電を行う構成としてもよい。
【符号の説明】
【００５０】
１  車輌
１１  発電部
１２  給電制御部（供給制御手段）
１３  車載蓄電部
１３ａ  蓄電量検出部（検出手段）
１４  コネクタ部（接続部）
１４ａ  蓄電量検出部（検出手段）
１７  車載機器
２０  可搬型蓄電装置
２１  防水コネクタ部（車側接続部）
２２  調整部
２３  蓄電部
２４  変換部
２５  防水コンセント部（機器側接続部）
３０  電気機器（外部の機器）
３１  プラグ部（接続部）
【図１】
2012080637.tif 000003
【図２】
2012080637.tif 000004
【図３】
2012080637.tif 000005
【図４】
2012080637.tif 000006